【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
記録剤を用いて印刷を実行する印刷装置であって、
前記記録剤の残量に関する設定として、ユーザ指示を受け付けたことに応じて値を変更可能な第１の閾値を前記残量に関する通知のために使用する第１の設定と、前記残量に関する通知のために第１の閾値とは別の第２の閾値を使用する第２の設定のいずれかの選択をユーザ操作に従って受け付ける受付手段と、
前記受付手段によって前記第１の設定を選択するユーザ操作を受け付けたことに従って前記第１の閾値の入力に関する表示アイテムを表示するよう制御する表示制御手段と、
前記記録剤の残量を特定する特定手段と、
前記第１の設定が前記印刷装置の設定として設定されている場合、前記特定された記録剤の残量が前記第１の閾値を下回る又はイコールとなったことに従って前記残量に関する通知を行い、前記第２の設定が前記印刷装置の設定として設定されている場合、前記特定された記録剤の残量が前記第２の閾値を下回る又はイコールとなったことに従って前記残量に関する通知を行う通知手段と、
を有することを特徴とする印刷装置。
【請求項２】
表示部を更に備え、
前記表示制御手段は、前記第１の設定又は第２の設定を選択するユーザ操作を受け付ける選択画面を表示部に表示し、
前記受付手段は、前記選択画面を介したユーザ操作に基づき前記第１の設定と前記第２の設定のいずれかの選択を受け付けることを特徴とする請求項１に記載の印刷装置。
【請求項３】
前記受付手段が前記選択画面を介した前記第１の設定を選択するユーザ操作を受け付けたことに従って、前記表示部上に表示する画面を、前記選択画面から前記第１の閾値の入力に関する前記表示アイテムを少なくとも含む入力画面に切り替えることを特徴とする請求項２に記載の印刷装置。
【請求項４】
前記入力画面には、前記第１の閾値として設定可能な上限値及び下限値を示す情報が更に表示されることを特徴とする請求項３に記載の印刷装置。
【請求項５】
前記選択画面を介したユーザ操作に基づき選択された前記第１の設定又は前記第２の設定のいずれかを前記印刷装置の設定として設定する設定手段を更に有することを特徴とする請求項２乃至４のいずれか１項に記載の印刷装置。
【請求項６】
前記記録剤の残量が少ない場合に印刷を禁止する機能を前記印刷装置において有効に設定するユーザ操作を受け付けたことに従って、前記記録剤の残量に関する設定を、前記第１の設定から前記第２の設定に変更する変更手段を更に有することを特徴とする請求項１乃至５のいずれか１項に記載の印刷装置。
【請求項７】
前記表示制御手段は、前記記録剤の残量が少ない場合に印刷を禁止する機能を前記印刷装置において有効に設定するユーザ操作を受け付けたことに従って、前記記録剤の残量に関する設定を前記第１の設定から前記第２の設定に変更すべきことをユーザに促す情報を表示することを特徴とする請求項１乃至５のいずれか１項に記載の印刷装置。
【請求項８】
前記記録剤はトナーであることを特徴とする請求項１乃至７のいずれか１項に記載の印刷装置。
【請求項９】
センサを使用して前記記録剤の残量を取得する取得手段を更に備え、
前記取得手段は、少なくとも記録剤が減少し第１の残量に達したこと、及び記録剤が減少し、前記第１の残量より少ない第２の残量に達したことを取得するよう構成されており、
前記第２の閾値は、前記第２の残量に対応する閾値であることを特徴とする請求項１乃至８のいずれか１項に記載の印刷装置。
【請求項１０】
前記特定手段は、印刷データに基づくドットカウントに少なくとも基づいて前記記録剤の残量を特定することを特徴とする請求項１乃至９のいずれか１項に記載の印刷装置。
【請求項１１】
格納部に格納された記録剤を用いて印刷を実行するプリントエンジンに接続される印刷制御装置であって、
前記記録剤の残量に関する設定として、ユーザ指示を受け付けたことに応じて値を変更可能な第１の閾値を前記残量に関する通知のために使用する第１の設定と、前記残量に関する通知のために第１の閾値とは別の第２の閾値を使用する第２の設定のいずれかの選択をユーザ操作に従って受け付ける受付手段と、
前記受付手段によって前記第１の設定を選択するユーザ操作を受け付けたことに従って前記第１の閾値の入力に関する表示アイテムを表示するよう制御する表示制御手段と、
前記第１の設定が前記印刷制御装置の設定として設定されている場合、前記格納部に格納されている記録剤の残量が前記第１の閾値を下回る又はイコールとなったことに従って前記残量に関する通知を行い、前記第２の設定が前記印刷制御装置の設定として設定されている場合、前記格納部に格納されている記録剤の残量が前記第２の閾値を下回る又はイコールとなったことに従って前記残量に関する通知を行う通知手段と、
を有することを特徴とする印刷制御装置。
【請求項１２】
前記格納部に格納されている記録材の残量を前記プリントエンジンから取得する取得手段を更に有することを特徴とする請求項１１に記載の印刷制御装置。
【請求項１３】
記録剤を用いて印刷を実行する印刷装置の制御方法であって、
前記記録剤の残量に関する設定として、ユーザ指示を受け付けたことに応じて値を変更可能な第１の閾値を前記残量に関する通知のために使用する第１の設定と、前記残量に関する通知のために前記第１の閾値とは別の第２の閾値を使用する第２の設定のいずれかの選択をユーザ操作に従って受け付ける受付工程と、
前記受付工程で前記第１の設定を選択するユーザ操作を受け付けたことに従って前記第１の閾値の入力に関する表示アイテムを表示するよう制御する表示制御工程と、
前記記録剤の残量を特定する特定工程と、
前記第１の設定が前記印刷装置の設定として設定されている場合、前記特定された記録剤の残量が前記第１の閾値を下回る又はイコールとなったことに従って前記残量に関する通知を行い、前記第２の設定が前記印刷装置の設定として設定されている場合、前記特定された記録剤の残量が前記第２の閾値を下回る又はイコールとなったことに従って前記残量に関する通知を行う通知工程と、
を有することを特徴とする制御方法。
【請求項１４】
請求項１３に記載の印刷装置の制御方法をコンピュータに実行させるためのプログラム。
【手続補正２】
【補正対象書類名】明細書
【補正対象項目名】発明の名称
【補正方法】変更
【補正の内容】
【発明の名称】印刷装置、印刷制御装置、制御方法及びプログラム
【手続補正３】
【補正対象書類名】明細書
【補正対象項目名】０００９
【補正方法】変更
【補正の内容】
【０００９】
上述した課題を解決するために、本発明が提供する印刷装置は、記録剤を用いて印刷を実行する印刷装置であって、前記記録剤の残量に関する設定として、ユーザ指示を受け付けたことに応じて値を変更可能な第１の閾値を前記残量に関する通知のために使用する第１の設定と、前記残量に関する通知のために前記第１の閾値とは別の第２の閾値を使用する第２の設定のいずれかの選択をユーザ操作に従って受け付ける受付手段と、前記受付手段によって前記第１の設定を選択するユーザ操作を受け付けたことに従って前記第１の閾値の入力に関する表示アイテムを表示するよう制御する表示制御手段と、前記記録剤の残量を特定する特定手段と、前記第１の設定が前記印刷装置の設定として設定されている場合、前記特定された記録剤の残量が前記第１の閾値を下回る又はイコールとなったことに従って前記残量に関する通知を行い、前記第２の設定が前記印刷装置の設定として設定されている場合、前記特定された記録剤の残量が前記第２の閾値を下回る又はイコールとなったことに従って前記残量に関する通知を行う通知手段と、を有することを特徴とする。